(57)【要約】【課題】サーバ装置に機器を登録する場合の判断材料をユーザに提示すること。【解決手段】表示方法は、機器２０の種類を示す機器情報と、機器２０に固有の機器識別子と、を機器２０から取得するステップを含む。また、表示方法は、機器識別子と、ユーザに固有のユーザ識別子と、をサーバ装置３０に送信するステップを含む。また、表示方法は、送信したユーザ識別子とは異なる他のユーザ識別子が機器識別子に紐付けられている場合に、ユーザ情報をサーバ装置３０から取得するステップを含む。ユーザ情報は、機器識別子に他のユーザ識別子が紐付けられていることを示す情報である。また、表示方法は、機器情報と、ユーザ情報と、を表示するステップを含む。【選択図】図１
2019101509.tif 000002
【特許請求の範囲】
【請求項１】
機器の種類を示す機器情報と、前記機器に固有の機器識別子と、を前記機器から取得し、
前記機器識別子と、ユーザに固有のユーザ識別子と、をサーバ装置に送信し、
送信した前記ユーザ識別子とは異なる他のユーザ識別子が前記機器識別子に紐付けられている場合に、前記機器識別子に前記他のユーザ識別子が紐付けられていることを示すユーザ情報を前記サーバ装置から取得し、
前記機器情報と、前記ユーザ情報と、を表示する
表示方法。
【請求項２】
前記機器識別子に紐付けられている前記機器の種類以外の前記機器に関する情報を示す付属情報を前記サーバ装置から取得し、
前記付属情報に含まれる１以上の項目のうち少なくとも一部の項目を表示する
請求項１記載の表示方法。
【請求項３】
前記機器は、前記ユーザによる登録の対象となる対象機器であり、
前記対象機器の登録に必要な情報と、前記対象機器の前記機器識別子に紐付けられている前記付属情報と、を表示する
請求項２記載の表示方法。
【請求項４】
前記他のユーザ識別子が複数の場合、前記複数の他のユーザ識別子の数を示す情報を、前記ユーザ情報として表示する
請求項１〜３のいずれか１項に記載の表示方法。
【請求項５】
１以上のプロセッサに、
請求項１〜４のいずれか１項に記載の表示方法を実行させるための
プログラム。
【請求項６】
機器と通信する第１通信部と、
サーバ装置と通信する第２通信部と、
表示部と、
処理部と、を備え、
前記処理部は、
前記機器の種類を示す機器情報と、前記機器に固有の機器識別子と、を前記機器から前記第１通信部にて取得する第１取得処理と、
前記機器識別子、及びユーザに固有のユーザ識別子を前記第２通信部から前記サーバ装置に送信する送信処理と、
送信した前記ユーザ識別子とは異なる他のユーザ識別子が前記機器識別子に紐付けられている場合に、前記機器識別子に他のユーザ識別子が紐付けられていることを示すユーザ情報を、前記サーバ装置から前記第２通信部にて取得する第２取得処理と、
前記機器情報、及び前記ユーザ情報を前記表示部に表示する表示処理と、を実行する
表示システム。
【請求項７】
表示システムと通信するサーバ側通信部と、
サーバ側処理部と、を備え、
前記サーバ側処理部は、前記表示システムから送信される、機器に固有の機器識別子、及びユーザに固有のユーザ識別子を、前記サーバ側通信部にて受信する受信処理と、
受信した前記ユーザ識別子とは異なる他のユーザ識別子が、受信した前記機器識別子に紐付けられている場合に、前記機器識別子に前記他のユーザ識別子が紐付けられていることを示すユーザ情報を、前記サーバ側通信部から前記表示システムに返信する返信処理と、を実行する
サーバ装置。
【請求項８】
請求項６記載の表示システムと、
請求項７記載のサーバ装置と、を備える
管理システム。
【発明の詳細な説明】
【技術分野】
【０００１】
本開示は、一般に表示方法、プログラム、表示システム、サーバ装置、及び管理システムに関する。より詳細には、本開示は、家電機器などの機器に関する情報を表示するための表示方法、プログラム、表示システム、サーバ装置、及び管理システムに関する。
【背景技術】
【０００２】
特許文献１は、サーバ装置と、ユーザＩＤを用いた認証によってサーバ装置にアクセス可能となるスマートフォンと、を備えた通信システムを開示する。サーバ装置は、ユーザＩＤ及びパスワードを用いた認証を行なう。スマートフォンは、上記認証の後に４桁の文字列の入力を受け付けたことに基づき、上記４桁の文字列をサーバ装置に送信する。サーバ装置は、ＨＥＭＳ（Home Energy Management System）コントローラからＨＥＭＳコントローラに固有のＭＡＣ（Media Access Control）アドレスを受信する。サーバ装置は、スマートフォンから受信した４桁の文字列が、ＨＥＭＳコントローラから受信したＭＡＣアドレスの下４桁と一致するか否かを判断する。サーバ装置は、スマートフォンから受信した４桁の文字列が、ＨＥＭＳコントローラから受信したＭＡＣアドレスの下４桁と一致したことを条件に、ＨＥＭＳコントローラをユーザＩＤに関連付けて登録する。
【先行技術文献】
【特許文献】
【０００３】
【特許文献１】国際公開第２０１５／１１８９３４号
【発明の概要】
【発明が解決しようとする課題】
【０００４】
しかし、特許文献１に記載の構成では、ユーザは、ＨＥＭＳコントローラ（機器）をサーバ装置に登録する場合に、ＨＥＭＳコントローラ（機器）を確認することで、ＨＥＭＳコントローラ（機器）のＭＡＣアドレスを知り得るのみである。つまり、特許文献１に記載の構成では、サーバ装置にＨＥＭＳコントローラ（機器）を登録する場合に、ユーザにとっての判断材料に乏しい、という問題がある。
【０００５】
本開示の課題は、サーバ装置に機器を登録する場合の判断材料をユーザに提示することができる表示方法、プログラム、表示システム、サーバ装置、及び管理システムを提供することである。
【課題を解決するための手段】
【０００６】
本開示の一態様の表示方法は、機器の種類を示す機器情報と、前記機器に固有の機器識別子と、を前記機器から取得するステップを含む。また、前記表示方法は、前記機器識別子と、ユーザに固有のユーザ識別子と、をサーバ装置に送信するステップを含む。また、前記表示方法は、送信した前記ユーザ識別子とは異なる他のユーザ識別子が前記機器識別子に紐付けられている場合に、ユーザ情報を前記サーバ装置から取得するステップを含む。前記ユーザ情報は、前記機器識別子に前記他のユーザ識別子が紐付けられていることを示す情報である。また、前記表示方法は、前記機器情報と、前記ユーザ情報と、を表示するステップを含む。
【０００７】
本開示の一態様のプログラムは、１以上のプロセッサに、上記の表示方法を実行させるためのプログラムである。
【０００８】
本開示の一態様の表示システムは、機器と通信する第１通信部と、サーバ装置と通信する第２通信部と、表示部と、処理部と、を備える。前記処理部は、第１取得処理と、送信処理と、第２取得処理と、表示処理と、を実行する。前記第１取得処理は、前記機器の種類を示す機器情報、及び前記機器に固有の機器識別子を前記機器から前記第１通信部にて取得する処理である。前記送信処理は、前記機器識別子、及びユーザに固有のユーザ識別子を前記第２通信部から前記サーバ装置に送信する処理である。前記第２取得処理は、送信した前記ユーザ識別子とは異なる他のユーザ識別子が前記機器識別子に紐付けられている場合に、ユーザ情報を、前記サーバ装置から前記第２通信部にて取得する処理である。前記ユーザ情報は、前記機器識別子に前記他のユーザ識別子が紐付けられていることを示す情報である。前記表示処理は、前記機器情報、及び前記ユーザ情報を前記表示部に表示する処理である。
【０００９】
本開示の一態様のサーバ装置は、表示システムと通信するサーバ側通信部と、サーバ側処理部と、を備える。前記サーバ側処理部は、受信処理と、返信処理と、を実行する。前記受信処理は、前記表示システムから送信される、機器に固有の機器識別子、及びユーザに固有のユーザ識別子を、前記サーバ側通信部にて受信する処理である。前記返信処理は、受信した前記ユーザ識別子とは異なる他のユーザ識別子が、受信した前記機器識別子に紐付けられている場合に、ユーザ情報を、前記サーバ側通信部から前記表示システムに返信する処理である。前記ユーザ情報は、前記機器識別子に前記他のユーザ識別子が紐付けられていることを示す情報である。
【００１０】
本開示の一態様の管理システムは、上記の表示システムと、上記のサーバ装置と、を備える。
【発明の効果】
【００１１】
本開示は、サーバ装置に機器を登録する場合の判断材料をユーザに提示することができる、という利点がある。
【図面の簡単な説明】
【００１２】
【図１】図１は、本開示の一実施形態の管理システムの概略図である。
【図２】図２は、同上の管理システムにおける表示システムのブロック図である。
【図３】図３は、同上の表示システムの表示部に表示される検索結果画面の一例を示す図である。
【図４】図４は、同上の表示システムの表示部に表示される登録画面の一例を示す図である。
【図５】図５は、同上の管理システムにおける機器のブロック図である。
【図６】図６は、同上の管理システムにおけるサーバ装置のブロック図である。
【図７】図７は、同上の管理システムにおける検索動作のシーケンス図である。
【図８】図８は、同上の管理システムにおける登録動作のシーケンス図である。
【図９】図９は、同上の表示システムの表示部に表示される検索結果画面の他の一例を示す図である。
【図１０】図１０は、同上の表示システムの表示部に表示される登録画面の他の一例を示す図である。
【発明を実施するための形態】
【００１３】
（１）概要
本実施形態の表示方法は、図１に示す管理システム１００で用いられる。管理システム１００は、表示システム１０と、複数の機器２０と、サーバ装置３０と、を備える。本実施形態では、管理システム１００は、複数の機器２０として、エアコン２０Ａ、エアコン２０Ｂ、及びエアコン２０Ｃを備えている。
【００１４】
管理システム１００において、ユーザは、表示システム１０を用いてサーバ装置３０に登録した機器２０を遠隔制御することが可能である。例えば、サーバ装置３０に登録した機器２０がエアコン２０Ａである場合、ユーザは、表示システム１０を用いて、エアコン２０Ａから離れた場所で、エアコン２０Ａの電源のオン／オフ、温度設定の変更、又は風量の調整などの制御を行うことが可能である。
【００１５】
本実施形態では、表示方法は、ユーザが表示システム１０を用いてサーバ装置３０に機器２０を登録する際に用いられる。表示方法は、機器情報と、機器識別子と、を機器２０から取得するステップを含む。本実施形態でいう「機器情報」は、機器２０の種類を示す情報であり、例えば品番である。また、本実施形態でいう「機器識別子」は、例えば機器２０の製造段階において機器２０に割り当てられる機器２０に固有の識別子であり、機器情報とは異なる。例えば、複数の機器２０の機器情報（品番）が同じであっても、これら複数の機器２０の機器識別子は互いに異なる。
【００１６】
また、表示方法は、機器識別子と、ユーザ識別子と、をサーバ装置３０に送信するステップを含む。本実施形態でいう「ユーザ識別子」は、表示システム１０を使用しているユーザに固有の識別子であり、例えばユーザの名前、又はユーザが所属する世帯でのユーザの続柄などを表す。本実施形態では、表示システム１０を使用するユーザを１人と想定しているため、ユーザ識別子は、表示システム１０に固有の識別子とも言える。もちろん、表示システム１０を使用するユーザが複数存在する場合は、ユーザごとに異なるユーザ識別子が割り当てられることになる。
【００１７】
また、表示方法は、送信したユーザ識別子とは異なる他のユーザ識別子が機器識別子に紐付けられている場合に、ユーザ情報をサーバ装置３０から取得するステップを含む。本実施形態でいう「ユーザ情報」は、機器識別子に他のユーザ識別子が紐付けられていることを示す情報である。そして、表示方法は、機器情報と、ユーザ情報と、を表示するステップを含む。
【００１８】
その結果、ユーザは、表示された機器情報及びユーザ情報を見ることにより、ユーザがサーバ装置３０に登録したい機器２０について、登録を行ってよいか否かを判断することができる。以下、ユーザによる登録の対象の機器２０を「対象機器」ともいう。例えば、対象機器について、既に他のユーザが登録している場合、ユーザは、対象機器についての登録状況を初期化した上で登録を行うか、そのまま登録を行うか、又は登録を断念するかを判断することができる。つまり、本実施形態では、機器情報とユーザ情報とを表示することにより、サーバ装置３０に機器２０を登録する場合の判断材料をユーザに提示することができる、という利点がある。
【００１９】
（２）構成
以下、管理システム１００について図面を参照して更に詳細に説明する。管理システム１００は、図１に示すように、表示システム１０と、複数の機器２０と、サーバ装置３０と、を備える。表示システム１０、複数の機器２０、及びサーバ装置３０は、いずれもインターネット等の通信ネットワーク４０に接続可能である。本実施形態では、表示システム１０と機器２０との間、表示システム１０とサーバ装置３０との間、及び機器２０とサーバ装置３０との間の各々において、暗号化通信を行っている。暗号化通信の方式には、例えばＷＰＡ（Wi-Fi Protected Access）等の無線ＬＡＮの暗号化方式が用いられてもよいが、特に限定されない。なお、本実施形態では、管理システム１００は複数の機器２０を備えているが、機器２０は管理システム１００に必須の構成要素ではない。
【００２０】
表示システム１０は、任意の機器２０のサーバ装置３０への登録、及びサーバ装置３０に登録した機器２０の制御（遠隔制御）に用いられる。表示システム１０は、例えばスマートフォンである。なお、表示システム１０は、スマートフォンに限らず、例えばタブレット端末などの携帯情報端末、パーソナルコンピュータ（デスクトップ型、又はラップトップ型など）、又はスマートテレビ等の機器２０及びサーバ装置３０と通信可能な装置であってもよい。
【００２１】
表示システム１０は、図２に示すように、第１通信部１１と、第２通信部１２と、表示部１３と、入力部１４と、処理部１５と、を備えている。
【００２２】
第１通信部１１は、通信ネットワーク４０に接続可能であり、通信ネットワーク４０を通じてサーバ装置３０との間で通信を行う機能を有する。第１通信部１１は、例えば通信事業者が提供する携帯電話網（キャリア網）を通じて、通信ネットワーク４０に接続可能な通信インタフェースである。携帯電話網には、例えば３Ｇ（第３世代）回線、ＬＴＥ（Long Term Evolution）回線等がある。
【００２３】
第２通信部１２は、通信ネットワーク４０に接続可能であり、通信ネットワーク４０を通じて１以上の機器２０（ここでは、エアコン２０Ａ〜２０Ｃ）との間で通信を行う機能を有する。第２通信部１２は、例えばＷｉ−Ｆｉ（登録商標）等の規格に準拠した無線ＬＡＮ（Local Area Network）により無線通信を行う通信インタフェースである。本実施形態では、第２通信部１２は、例えばＵＰｎＰ（Universal Plug and Play）に対応したルータ等の通信機器を通じて通信ネットワーク４０に接続可能であるが、通信機器を介さずに通信ネットワークに接続可能であってもよい。また、本実施形態では、第１通信部１１及び第２通信部１２を別々の通信インタフェースとして取り扱っているが、これらは単一の通信インタフェースで構成されていてもよい。
【００２４】
表示部１３は、例えば液晶ディスプレイ、又は有機ＥＬ（Electro Luminescence）ディスプレイなどの薄型のディスプレイ装置である。
【００２５】
入力部１４は、ユーザからの入力を受け付けるための入力装置である。入力部１４は、例えば、表示部１３の表示面に設置されるタッチパッドである。つまり、表示部１３と入力部１４とは、タッチパネルを構成する。なお、入力部１４は、タッチパッドに限定されず、キーボード、ポインティングデバイス、又はメカニカルなスイッチ等であってもよい。また、入力部１４は、複数の入力装置で構成されていてもよい。
【００２６】
処理部１５は、表示システム１０の動作を制御する制御回路である。処理部１５は、例えば、１以上のプロセッサ（マイクロプロセッサ）と１以上のメモリとにより実現され得る。つまり、１以上のプロセッサが１以上のメモリに記憶された１以上のプログラムを実行することで、処理部１５として機能する。１以上のプログラムは、ここでは処理部１５の１以上のメモリに予め記録されているが、インターネット等の電気通信回線を通じて、又はメモリカード等の非一時的な記録媒体に記録されて提供されてもよい。
【００２７】
処理部１５は、検索結果画面Ａ１（図３参照）、登録画面Ｂ１（図４参照）、及び制御画面を表示部１３に表示させる機能を有する。検索結果画面Ａ１は、表示システム１０及びサーバ装置３０と通信可能な１以上の機器２０の一覧を表す画面である。本実施形態では、処理部１５は、第１取得処理、送信処理、第２取得処理、及び表示処理を実行することにより、検索結果画面Ａ１を表示部１３に表示させる。
【００２８】
第１取得処理は、機器情報及び機器識別子を機器２０から第１通信部１１にて取得する処理である。具体的には、処理部１５は、第１取得処理にて、機器情報及び機器識別子を要求するコマンドを含む要求信号を、第１通信部１１からブロードキャストする。要求信号を受信した１以上の機器２０は、要求信号に対する応答として、機器情報及び機器識別子を含む応答信号を表示システム１０に返信する。これにより、処理部１５は、第１通信部１１にて１以上の応答信号を受信することにより、表示システム１０と通信可能な１以上の機器２０から、機器情報及び機器識別子を取得する。
【００２９】
送信処理は、機器識別子及びユーザ識別子を、第２通信部１２からサーバ装置３０に送信する処理である。具体的には、処理部１５は、第１取得処理にて取得した１以上の機器２０の機器識別子と、表示システム１０の有するユーザ識別子とを含む検索信号を、第１通信部１１からサーバ装置３０に送信する。これにより、サーバ装置３０にて、後述する受信処理及び返信処理が実行される。
【００３０】
第２取得処理は、送信したユーザ識別子とは異なる他のユーザ識別子が機器識別子に紐付けられている場合に、ユーザ情報を、サーバ装置３０から第２通信部１２にて取得する処理である。具体的には、第２取得処理は、後述するサーバ装置３０からの検索応答信号を、第２通信部１２にて受信する処理である。処理部１５は、１以上の機器識別子のうち他のユーザ識別子が紐付けられている機器識別子については、検索応答信号に含まれるユーザ情報を取得することになる。一方、処理部１５は、他のユーザ識別子がいずれの機器識別子にも紐付けられていない場合は、検索応答信号にユーザ情報が含まれていないので、ユーザ情報を取得しない。
【００３１】
また、本実施形態では、処理部１５は、１以上の機器識別子のうち他のユーザ識別子が機器識別子に紐付けられている機器識別子については、第２取得処理にて、ユーザ情報の他に検索応答信号に含まれる付属情報を取得する。つまり、第２取得処理は、表示方法で言えば、付属情報をサーバ装置３０から取得するステップを含む。本実施形態でいう「付属情報」は、機器識別子に紐付けられている機器２０の種類以外の機器２０に関する情報を示す情報である。例えば、付属情報には、機器２０を購入した日付、機器２０がサーバ装置３０に登録された時刻、機器２０が設置された場所、又はユーザが名付けた機器２０の通称などが含まれる。付属情報は、後述する登録画面Ｂ１にてユーザが入力した登録内容を、サーバ装置３０が取得することにより、サーバ装置３０の後述する記憶部３３に記憶される。
【００３２】
表示処理は、機器情報及びユーザ情報を表示部１３に表示する処理である。具体的には、処理部１５は、第１取得処理にて取得した１以上の機器２０の機器情報と、第２取得処理にて取得した１以上の機器２０のユーザ情報と、を表示部１３に表示する。また、処理部１５は、付属情報が存在する場合には、機器情報及びユーザ情報に加えて、付属情報を表示部１３に表示する。つまり、表示処理は、表示方法で言えば、付属情報に含まれる１以上の項目のうち少なくとも一部の項目を表示するステップを含む。なお、１以上の機器２０のうち、第２取得処理にてユーザ情報及び付属情報を取得していない機器２０に関しては、機器情報のみが表示部１３に表示される。
【００３３】
検索結果画面Ａ１の一例を図３に示す。図３に示す例では、表示部１３には、それぞれエアコン２０Ａ〜２０Ｃの機器情報を含む第１表示領域Ａ１１〜第３表示領域Ａ１３と、「登録」の文字が記された第４表示領域Ａ１４と、が縦方向に並んで表示されている。第１表示領域Ａ１１〜第３表示領域Ａ１３には、それぞれ機器情報として、エアコン２０Ａ〜２０Ｃの品番が表示されている。本実施形態では、エアコン２０Ａ，２０Ｂの品番は、同じである。また、図３に示す例では、エアコン２０Ａ，２０Ｂの品番を「〇〇〇〇」で表しており、エアコン２０Ｃの品番を「□□□□」で表している。
【００３４】
ここで、処理部１５は、エアコン２０Ａ〜２０Ｃの各々について、第２取得処理にてユーザ情報を取得している。このため、表示部１３には、第１表示領域Ａ１１〜第３表示領域Ａ１３の各々において、機器情報の下側にユーザ情報が表示されている。具体的には、第１表示領域Ａ１１〜第３表示領域Ａ１３には、それぞれ「既に他のユーザが登録済み」というユーザ情報が表示されている。また、処理部１５は、エアコン２０Ａ〜２０Ｃの各々について、第２取得処理にて付属情報を取得している。このため、表示部１３には、第１表示領域Ａ１１〜第３表示領域Ａ１３の各々において、ユーザ情報と共に付属情報が表示されている。具体的には、第１表示領域Ａ１１〜第３表示領域Ａ１３には、それぞれ「寝室」、「リビング」、及び「子供部屋」という機器２０の設置場所を表す付属情報が表示されている。
【００３５】
第１表示領域Ａ１１〜第３表示領域Ａ１３には、機器情報、ユーザ情報、及び付属情報の他に、それぞれチェックボックスＡ２１〜Ａ２３が表示されている。ユーザは、第１表示領域Ａ１１〜第３表示領域Ａ１３のいずれかのチェックボックスＡ２１〜Ａ２３にチェックマークを入れた状態で、第４表示領域Ａ１４を選択することにより、登録対象となる機器２０（つまり、対象機器）を選択することが可能である。例えば、第１表示領域Ａ１１のチェックボックスＡ２１にチェックマークを入れた場合、ユーザは、エアコン２０Ａを対象機器として選択することになる。
【００３６】
第４表示領域Ａ１４が選択されると、処理部１５は、選択された機器２０の機器識別子を含む第１仮登録信号を第１通信部１１からサーバ装置３０に送信する。また、処理部１５は、機器識別子をサーバ装置３０に送信するように要求するコマンドを含む送信要求信号を、第２通信部１２から、選択された機器２０に送信する。送信要求信号を受信した機器２０は、機器２０の機器識別子を含む第２仮登録信号を、後述する通信部２１からサーバ装置３０に送信する。これにより、サーバ装置３０にて、後述する確認処理が実行される。
【００３７】
その後、第１通信部１１にてサーバ装置３０からの仮登録応答信号を受信すると、処理部１５は、ユーザの選択した機器２０についての登録画面Ｂ１を表示部１３に表示する。登録画面Ｂ１は、検索結果画面Ａ１にてユーザが選択した機器２０（つまり、対象機器）の登録内容を、ユーザが入力部１４を用いて決定するための画面である。登録画面Ｂ１の一例を図４に示す。図４に示す例では、対象機器がエアコン２０Ａであり、表示部１３には、エアコン２０Ａの品番と、第１表示領域Ｂ１１〜第３表示領域Ｂ１３と、「登録」の文字が記された第４表示領域Ｂ１４とが、縦方向に並んで表示されている。第１表示領域Ｂ１１〜第３表示領域Ｂ１３は、それぞれエアコン２０Ａの登録内容の項目である「日付」、「設置場所」、及び「通称」に対応している。
【００３８】
「日付」は、エアコン２０Ａを購入した日付を示す。ユーザが入力部１４を用いて第１表示領域Ｂ１１に日付（例えば、「２０１７年〇月〇日」）を入力することにより、エアコン２０Ａを購入した日付が設定される。「設置場所」は、エアコン２０Ａが設置された場所を示す。ユーザが入力部１４を用いて第２表示領域Ｂ１２に設置場所（例えば、「寝室」）を入力することにより、エアコン２０Ａの設置場所が設定される。「通称」は、ユーザが名付けるエアコン２０Ａの通称を示す。ユーザが入力部１４を用いて第３表示領域Ｂ１３に通称（例えば、「両親のエアコン」）を入力することにより、エアコン２０Ａの通称が設定される。
【００３９】
第４表示領域Ｂ１４が選択されると、処理部１５は、登録画面Ｂ１でユーザにより入力された情報に基づいて、登録信号を生成し、第２通信部１２からサーバ装置３０に送信する。これにより、サーバ装置３０にて、後述する登録処理が実行される。
【００４０】
制御画面は、機器２０の制御内容をユーザが入力部１４を用いて決定するための画面である。例えば、制御画面は、制御対象となる機器２０の選択、及び制御内容の指定を可能にする。具体的には、制御対象となる機器２０としてエアコン２０Ａが選択されると、制御画面は、例えば制御内容の項目である「動作状態」、「運転モード設定」、及び「温度設定値」の値の入力を可能にする。「動作状態」は、エアコン（エアコンに固有の機能）が稼働状態であるか否か（オン又はオフ）を示す。「運転モード設定」は、エアコンの運転モード（例えば、自動、冷房、暖房、除湿、送風、その他）を示す。「温度設定値」は、現在の「運転モード設定」における温度設定値を示す。
【００４１】
処理部１５は、制御画面でユーザにより入力された情報に基づいて、制御信号を生成して、第２通信部１２からサーバ装置３０に送信する。制御信号は、制御対象となる機器２０を特定するための情報（本実施形態では、機器識別子及びユーザ識別子）と、制御内容を特定するための情報と、を含む。これにより、サーバ装置３０にて、後述する制御処理が実行される。
【００４２】
機器２０は、管理システム１００において、ユーザによる登録の対象となり得る機器である。また、機器２０は、登録後においては、制御対象となる機器である。機器２０の例としては、センサ関連機器、空調関連機器、住宅・設備関連機器、調理・家事関連機器、健康管理関連機器、管理・操作関連機器、又はＡＶ関連機器が挙げられる。
【００４３】
センサ関連機器の例としては、火災センサ、人体検知センサ、温度センサ、ＣＯ２センサ、又は電流量センサが挙げられる。空調関連機器の例としては、エアコン、扇風機、換気扇、空気清浄機、ホットカーペット、又は石油ファンヒータが挙げられる。住宅・設備関連機器の例としては、電動ブラインド、電動カーテン、温水器、電気錠、スマートメーター、太陽光発電設備、蓄電池、燃料電池、一般照明、単機能照明、又は非常灯が挙げられる。調理・家事関連機器の例としては、電子レンジ、食器洗い機、食器乾燥機、洗濯機、衣類乾燥機、又は自動掃除機が挙げられる。健康管理関連機器の例としては、体重計、体脂肪計、体温計、血圧計、又は血糖値計が挙げられる。管理・操作関連機器の例としては、コントローラ、又はスイッチ（ＨＡ機器）が挙げられる。ＡＶ関連機器の例としては、ＴＶ、又はディスプレイが挙げられる。
【００４４】
機器２０は、施設２００に設置されている。施設２００は、例えば戸建住宅である。なお、施設２００は、戸建住宅の他に、集合住宅（住戸、共用部）、店舗、又はビル（ビル全体、フロア内）などであってもよい。また、施設２００は、建物だけではなく、建物とその建物が存在する敷地とを含んでいてもよい。このような場合、施設２００は、例えば工場、公園、病院、又は商業施設などであってもよい。
【００４５】
機器２０は、図５に示すように、通信部２１と、機能部２２と、処理部２３と、を備えている。
【００４６】
通信部２１は、通信ネットワーク４０に接続可能であり、通信ネットワーク４０を通じて表示システム１０及びサーバ装置３０との間で通信を行う機能を有する。通信部２１は、例えばＷｉ−Ｆｉ（登録商標）等の規格に準拠した無線ＬＡＮにより無線通信を行う通信インタフェースである。
【００４７】
機能部２２は、機器２０において所定の機能を実現する機械構造を有する。機能部２２により実現される機能は、主に機器２０の種類によって異なる。本実施形態では、既に述べたように、複数の機器２０はエアコン２０Ａ〜２０Ｃである。したがって、エアコン２０Ａ〜２０Ｃの各々の機能部２２は、エアコンの機能を実現するための機械構造（例えば、凝縮器、蒸発器、圧縮機、及び温度センサ等）を有している。
【００４８】
処理部２３は、機器２０の動作を制御する制御回路である。処理部２３は、例えば、１以上のプロセッサ（マイクロプロセッサ）と１以上のメモリとにより実現され得る。つまり、１以上のプロセッサが１以上のメモリに記憶された１以上のプログラムを実行することで、処理部２３として機能する。プログラムは、ここでは処理部２３のメモリに予め記録されているが、インターネット等の電気通信回線を通じて、又はメモリカード等の非一時的な記録媒体に記録されて提供されてもよい。
【００４９】
処理部２３は、制御機能を有する。制御機能は、通信部２１を通じて通信ネットワーク４０から受け取った情報（制御指令信号）に基づいて、機能部２２の制御内容を設定（決定）する機能である。これにより、機能部２２は、制御指令信号に基づいて設定された制御内容に従った動作を行う。制御内容は、機能部２２の動作を決定する情報であり、１以上の項目を含んでいる。制御内容に含まれる項目の数及び内容は、機器２０の種類（つまり、機能部２２の構成）によって決まる。例えば、エアコン２０Ａ〜２０Ｃの場合、制御内容の項目は、「動作状態」、「運転モード設定」、及び「温度設定値」等である。
【００５０】
サーバ装置３０は、管理システム１００において、情報（信号）の流れを管理する機能を有している。サーバ装置３０は、図６に示すように、第１通信部３１と、第２通信部３２と、記憶部３３と、処理部３４と、を備えている。以下では、サーバ装置３０の第１通信部３１は、「サーバ側通信部３１」ともいう。また、以下では、サーバ装置３０の処理部３４は、「サーバ側処理部３４」ともいう。
【００５１】
第１通信部３１は、通信ネットワーク４０に接続可能であり、通信ネットワーク４０を通じて表示システム１０との間で通信を行う機能を有する。第１通信部３１は、例えばＷｉ−Ｆｉ（登録商標）等の規格に準拠した無線ＬＡＮにより無線通信を行う通信インタフェースである。
【００５２】
第２通信部３２は、通信ネットワーク４０に接続可能であり、通信ネットワーク４０を通じて１以上の機器２０（ここでは、エアコン２０Ａ〜２０Ｃ）との間で通信を行う機能を有する。第２通信部３２は、例えばＷｉ−Ｆｉ（登録商標）等の規格に準拠した無線ＬＡＮにより無線通信を行う通信インタフェースである。
【００５３】
記憶部３３は、登録情報を記憶している。登録情報は、管理システム１００の制御対象として登録された機器２０に関する情報である。登録情報は、１以上の機器２０の機器識別子と、１以上の機器２０の機器識別子に紐付けられているユーザ識別子及び付属情報と、を含んでいる。登録情報は、後述する登録処理を実行するたびに更新される。
【００５４】
登録情報の一例を以下の表１に示す。表１において、機器識別子である「０００１」、「０００２」、及び「０００３」は、それぞれエアコン２０Ａ，２０Ｂ，２０Ｃを表している。なお、表１では、機器識別子は数字４文字で表されているが、更に多数の英数字の組み合わせにより表されてもよい。もちろん、機器識別子は、３文字以下の英数字の組み合わせにより表されてもよい。また、表１において、ユーザ識別子である「Ｘ」、「Ｙ」、及び「Ｚ」は、それぞれ互いに異なるユーザを表している。なお、表１では、ユーザ識別子は英字１文字で表されているが、複数の英数字の組み合わせにより表されてもよい。また、表１において、付属情報は文字により表されているが、実際には、複数の英数字の組み合わせにより表されてもよい。
【００５５】
【表１】
2019101509.tif 000003
表１に示す例では、エアコン２０Ａは、寝室に設置されており、ユーザ識別子「Ｘ」、「Ｙ」に対応する二人のユーザにより登録されている。また、エアコン２０Ｂは、リビングに設置されており、ユーザ識別子「Ｘ」に対応する１人のユーザにより登録されている。つまり、ユーザ識別子「Ｘ」に対応するユーザは、２台のエアコン２０Ａ，２０Ｂをサーバ装置３０に登録している。また、エアコン２０Ｃは、子供部屋に設置されており、ユーザ識別子「Ｚ」に対応する１人のユーザにより登録されている。
【００５６】
処理部３４は、サーバ装置３０の動作を制御する制御回路である。処理部３４は、例えば、１以上のプロセッサ（マイクロプロセッサ）と１以上のメモリとにより実現され得る。つまり、１以上のプロセッサが１以上のメモリに記憶された１以上のプログラムを実行することで、処理部３４として機能する。プログラムは、ここでは処理部３４のメモリに予め記録されているが、インターネット等の電気通信回線を通じて、又はメモリカード等の非一時的な記録媒体に記録されて提供されてもよい。
【００５７】
処理部３４は、表示システム１０、及び機器２０から取得した信号（情報）に応じて、受信処理、返信処理、確認処理、登録処理、及び制御処理のいずれかの処理を実行する。
【００５８】
受信処理は、表示システム１０から送信される機器識別子及びユーザ識別子を、第１通信部（サーバ側通信部）３１にて受信する処理である。具体的には、処理部３４は、表示システム１０からの検索信号を第１通信部３１にて受信することにより、検索信号に含まれる１以上の機器２０の機器識別子、及び表示システム１０の有するユーザ識別子を取得する。
【００５９】
返信処理は、受信したユーザ識別子とは異なる他のユーザ識別子が、受信した機器識別子に紐付けられている場合に、ユーザ情報を、第１通信部（サーバ側通信部）３１から表示システム１０に返信する処理である。具体的には、処理部３４は、記憶部３３に記憶されている登録情報を参照することにより、受信処理にて受信した１以上の機器２０の機器識別子について、受信処理にて受信したユーザ識別子とは異なる他のユーザ識別子が紐付けられているか否かを確認する。その後、処理部３４は、検索応答信号を第１通信部３１から表示システム１０に返信する。検索応答信号には、１以上の機器２０の機器識別子のうち他のユーザ識別子が紐付けられている機器識別子についてのユーザ情報と、この機器識別に紐付けられている付属情報と、が含まれる。
【００６０】
確認処理は、表示システム１０から受信した第１仮登録信号に含まれる機器識別子と、機器２０から受信した第２仮登録信号に含まれる機器識別子とが一致するか否かを確認する処理である。これらの機器識別子が一致する場合、処理部３４は、ユーザが選択した機器２０が登録可能である旨を通知する仮登録応答信号を第１通信部３１から表示システム１０に送信する。一方、これらの機器識別子が一致しない場合、処理部３４は、ユーザが選択した機器２０の登録が不可能である旨を通知する通知信号を第１通信部３１から表示システム１０に返信する。通知信号を受信した表示システム１０では、処理部１５は、例えばユーザに再度の登録を促すメッセージを、表示部１３に表示したり、音声にて再生したり等の処理を実行する。
【００６１】
登録処理は、第１通信部３１にて表示システム１０からの登録信号を受信した場合に、登録信号に含まれるユーザが選択した機器２０（つまり、対象機器）の登録内容を、付属情報として記憶部３３に記憶する処理である。処理部３４が登録処理を実行することにより、対象機器についてサーバ装置３０への登録が完了する。なお、登録完了後に、登録が完了した旨を表示システム１０に通知するか否かは任意である。
【００６２】
制御処理は、表示システム１０からの制御信号に応じて、機器２０に制御指令信号を送信する処理である。処理部３４は、制御信号に含まれる情報と、記憶部３３に記憶されている登録情報とを参照することで制御指令信号を生成し、生成した制御指令信号を第２通信部３２から制御対象となる機器２０に送信する。これにより、表示システム１０による制御対象の機器２０の遠隔制御が実現される。
【００６３】
（３）動作
（３．１）検索動作
以下、ユーザが表示システム１０により通信可能な機器２０を検索する際の管理システム１００の検索動作について図７を用いて説明する。まず、ユーザは、表示システム１０を操作することにより、通信可能な機器２０の検索の開始を要求する入力を行う。すると、表示システム１０は、要求信号をブロードキャストすることにより、通信可能な機器２０の検索を開始する。要求信号を受信した機器２０は、要求信号の送信元の表示システム１０に向けて、応答信号を送信する。表示システム１０は、１以上の機器２０（ここでは、エアコン２０Ａ〜２０Ｃ）からの応答信号を受信することにより、１以上の機器２０の機器情報及び機器識別子を取得する。つまり、表示システム１０の処理部１５は、第１取得処理を実行する。
【００６４】
次に、表示システム１０は、検索信号をサーバ装置３０に送信する。つまり、表示システム１０の処理部１５は、送信処理を実行する。サーバ装置３０は、表示システム１０からの検索信号を受信する。つまり、サーバ装置３０の処理部３４は、受信処理を実行する。検索信号を受信したサーバ装置３０は、記憶部３３に記憶されている登録情報を参照することにより、取得した１以上の機器２０の機器識別子に他のユーザ識別子が紐付けられているか否かを確認する。そして、サーバ装置３０は、確認結果に基づく検索応答信号を表示システム１０に返信する。つまり、サーバ装置３０の処理部３４は、返信処理を実行する。
【００６５】
その後、表示システム１０は、サーバ装置３０からの検索応答信号を受信することにより、ユーザ情報を取得する。つまり、表示システム１０の処理部１５は、第２取得処理を実行する。ここでは、エアコン２０Ａ〜２０Ｃはいずれも他のユーザにより既に登録済みであるため、表示システム１０は、エアコン２０Ａ〜２０Ｃの各々のユーザ情報を取得する。そして、表示システム１０は、検索結果画面Ａ１を表示部１３に表示することにより、１以上の機器２０の機器情報と、ユーザ情報とを表示部１３に表示する。つまり、表示システム１０の処理部１５は、表示処理を実行する。
【００６６】
ユーザは、検索結果画面Ａ１に表示された機器情報及びユーザ情報を見ることにより、ユーザが対象機器について登録を行ってよいか否かを判断することができる。例えば、エアコン２０Ａが中古品である場合、ユーザは、検索結果画面Ａ１のユーザ情報に応じたメッセージを見ることにより、エアコン２０Ａの以前の所有者が未だにエアコン２０Ａをサーバ装置３０に登録していることを知ることができる。このような場合、ユーザは、表示システム１０を操作して初期化処理を処理部１５に実行させることにより、エアコン２０Ａの登録を初期化する等の対応が可能である。
【００６７】
また、ユーザは、検索結果画面Ａ１の付属情報に応じたメッセージを見ることにより、例えばエアコン２０Ａの設置場所など、エアコン２０Ａについて機器情報（品番）以外の情報を知ることができる。このような場合、ユーザは、機器情報（品番）のみが検索結果画面Ａ１に表示される場合と比較して、エアコン２０Ａを特定しやすく、エアコン２０Ａが本当に登録したい機器であるか否かを判断することが可能である。
【００６８】
（３．２）登録動作
次に、ユーザが表示システム１０により対象機器をサーバ装置３０に登録する際の管理システム１００の登録動作について図８を用いて説明する。ユーザは、表示システム１０を操作することにより、検索結果画面Ａ１に表示されている１以上の機器２０から対象機器を選択する入力を行う。ここでは、ユーザは、対象機器としてエアコン２０Ａを選択すると仮定する。すると、表示システム１０は、対象機器の機器識別子を含む第１仮登録信号をサーバ装置３０に送信し、かつ、送信要求信号をエアコン２０Ａに送信する。エアコン２０Ａは、送信要求信号を受信すると、エアコン２０Ａの機器識別子を含む第２仮登録信号をサーバ装置３０に送信する。
【００６９】
サーバ装置３０は、第１仮登録信号及び第２仮登録信号を受信すると、確認処理を実行する。確認処理の結果、ここでは、第１仮登録信号及び第２仮登録信号の各々に含まれる機器識別子が一致するので、サーバ装置３０は、仮登録応答信号を表示システム１０に送信する。
【００７０】
表示システム１０は、仮登録応答信号を受信すると、エアコン２０Ａについての登録画面Ｂ１を表示部１３に表示する。ユーザは、表示システム１０を操作することにより、エアコン２０Ａについての登録内容の入力を行う。すると、表示システム１０は、登録信号をサーバ装置３０に送信する。そして、サーバ装置３０は、登録信号を受信すると、登録処理を実行する。これにより、対象機器（ここでは、エアコン２０Ａ）のサーバ装置３０への登録が完了する。
【００７１】
（４）変形例
以上説明した上述の実施形態は、本開示の様々な実施形態の一つに過ぎない。また、上記実施形態は、本開示の目的を達成できれば、設計等に応じて種々の変更が可能である。また、表示方法と同様の機能は、コンピュータプログラム、又はコンピュータプログラムを記録した非一時的記録媒体等で具現化されてもよい。つまり、一態様に係るプログラムは、１以上のプロセッサに、上述の実施形態（以下に示す変形例を含む）の表示方法を実行させるためのプログラムである。
【００７２】
以下、上述の実施形態の変形例を列挙する。
【００７３】
上述の実施形態において、表示方法は、機器２０の機器識別子に紐付けられている他のユーザ識別子が複数の場合、複数の他のユーザ識別子の数を示す情報を、ユーザ情報として表示部１３に表示するステップを含んでいてもよい。この態様での検索結果画面Ａ１の一例を図９に示す。図９に示す例では、エアコン２０Ａについて既に二人の他のユーザが登録済みであると仮定する。この場合、エアコン２０Ａに対応する第１表示領域Ａ１１には、ユーザ情報として、「既に二人のユーザが登録済み」と表示される。この態様では、複数の他のユーザの各々の名称又は属性等を並べて表示する場合と比較して、他のユーザの匿名性を確保しつつ、ユーザが他のユーザの人数を把握しやすい。
【００７４】
上述の実施形態において、表示方法は、対象機器の機器識別子に既に他のユーザ識別子が紐付けられている場合、表示システム１０の処理部１５は、対象機器の機器識別子に紐付けられている付属情報を表示部１３に表示するステップを含んでいてもよい。この態様での登録画面Ｂ１の一例を図１０に示す。図１０に示す例では、対象機器がエアコン２０Ｃであり、エアコン２０Ｃには、既に日付として「２０１７年〇月〇日」、設置場所として「子供部屋」、及び通称として「兄のエアコン」が設定されていると仮定する。この態様では、ユーザ（例えば、弟）は、登録画面Ｂ１に表示されている登録内容のうち変更すべき箇所（ここでは、通称）についてのみ入力（変更）を行えばよい。つまり、この態様では、登録画面Ｂ１に表示される全ての項目について逐一入力を行う場合と比較して、ユーザが登録に要する時間を短縮することが可能である。
【００７５】
上述の実施形態では、表示システム１０の処理部１５は、機器２０の機器識別子に他のユーザ識別子が紐付けられている場合、他のユーザが登録されている、という情報のみをユーザ情報として表示部１３に表示しているが、これに限定する趣旨ではない。例えば、処理部１５は、他のユーザの名称又は属性等を、ユーザ情報として表示部１３に表示してもよい。具体的には、検索結果画面Ａ１の第１表示領域Ａ１１において、「他のユーザが登録済み」を「両親が登録済み」と表示してもよい。
【００７６】
上述の実施形態では、検索結果画面Ａ１には、付属情報に含まれる一部の項目として機器２０の設置場所が表示されているが、付属情報に含まれる全ての項目が表示されてもよい。また、表示システム１０の処理部１５は、付属情報に複数の項目が含まれている場合、優先順位の高い項目のみを表示部１３に表示してもよい。この場合、付属情報に含まれる項目の優先順位は、予め初期値として設定されていてもよいし、ユーザが入力部１４を用いて適宜設定してもよい。
【００７７】
上述の実施形態では、サーバ装置３０は、表示システム１０からの登録信号を受信し、受信した登録信号に含まれる対象機器の登録内容を記憶部３３に記憶することで、対象機器のサーバ装置３０への登録を完了するが、これに限定する趣旨ではない。例えば、サーバ装置３０は、確認処理において、第１仮登録信号に含まれる機器識別子と、第２仮登録信号に含まれる機器識別子とが一致することを確認すると、対象機器のサーバ装置３０への登録を完了してもよい。この場合、ユーザによる対象機器についての登録内容の入力は不要である。
【００７８】
上述の実施形態では、表示システム１０の処理部１５は、第１取得処理により、機器情報及び機器識別子を機器２０から第１通信部１１にて取得しているが、これに限定する趣旨ではない。例えば、機器識別子が機器情報とその他の英数字の組み合わせにより表される場合、処理部１５は、第１取得処理により、機器識別子のみを機器２０から第１通信部１１にて取得してもよい。この場合、処理部１５は、所定のアルゴリズムにて取得した機器識別子から機器情報を抽出することにより、結果として機器情報を取得することが可能である。
【００７９】
上述の実施形態では、表示システム１０はスマートフォンであって、単一の装置で構成されているが、複数の装置で構成されていてもよい。例えば、表示システム１０がデスクトップ型のパーソナルコンピュータであれば、表示システム１０は、キーボード、マウス等の入力装置（入力部１４に相当）と、液晶ディスプレイ等の表示装置（表示部１３に相当）と、を含む複数の装置で構成されていてもよい。
【００８０】
上述の実施形態では、表示システム１０と機器２０との間、表示システム１０とサーバ装置３０との間、及び機器２０とサーバ装置３０との間の各々において、暗号化通信を行っているが、暗号化通信を行うことは必須ではない。
【００８１】
上述の実施形態では、表示システム１０は、携帯電話網を通じて通信ネットワーク４０に接続可能であるが、これに限定する趣旨ではない。例えば、表示システム１０は、施設２００内にいる場合、ルータ等の通信機器を通じて通信ネットワーク４０に接続してもよい。また、表示システム１０は、公衆無線ＬＡＮを通じて通信ネットワーク４０に接続してもよい。
【００８２】
（５）態様
上記実施形態及び変形例から明らかなように、第１の態様の表示方法は、機器（２０）の種類を示す機器情報と、前記機器（２０）に固有の機器識別子と、を前記機器（２０）から取得するステップを含む。また、前記表示方法は、前記機器識別子と、ユーザに固有のユーザ識別子と、をサーバ装置（３０）に送信するステップを含む。また、前記表示方法は、送信した前記ユーザ識別子とは異なる他のユーザ識別子が前記機器識別子に紐付けられている場合に、ユーザ情報を前記サーバ装置（３０）から取得するステップを含む。前記ユーザ情報は、前記機器識別子に前記他のユーザ識別子が紐付けられていることを示す情報である。また、前記表示方法は、前記機器情報と、前記ユーザ情報と、を表示するステップを含む。
【００８３】
第１の態様によれば、サーバ装置（３０）に機器（２０）を登録する場合の判断材料をユーザに提示することができる、という利点がある。
【００８４】
第２の態様の表示方法は、第１の態様との組み合わせにより実現され得る。第２の態様では、前記表示方法は、前記機器識別子に紐付けられている前記機器（２０）の種類以外の前記機器（２０）に関する情報を示す付属情報を前記サーバ装置（３０）から取得するステップを含む。また、前記表示方法は、前記付属情報に含まれる１以上の項目のうち少なくとも一部の項目を表示するステップを含む。
【００８５】
第２の態様によれば、サーバ装置（３０）に機器（２０）を登録する場合の判断材料として、機器（２０）に関するより詳細な情報を更にユーザに提示することができる、という利点がある。
【００８６】
第３の態様の表示方法は、第２の態様との組み合わせにより実現され得る。第３の態様では、前記機器（２０）は、前記ユーザによる登録の対象となる対象機器である。前記表示方法は、前記対象機器の登録に必要な情報と、前記対象機器の前記機器識別子に紐付けられている前記付属情報と、を表示するステップを含む。
【００８７】
第３の態様によれば、サーバ装置（３０）に機器（２０）を登録する場合に、付属情報を参照しながら登録を行うことができるので、ユーザの利便性が向上する、という利点がある。
【００８８】
第４の態様の表示方法は、第１〜第３の態様のいずれか一つとの組み合わせにより実現され得る。第４の態様では、前記表示方法は、前記他のユーザ識別子が複数の場合、前記複数の他のユーザ識別子の数を示す情報を、前記ユーザ情報として表示するステップを含む。
【００８９】
第４の態様によれば、サーバ装置（３０）に機器（２０）を登録する場合の判断材料として、既に機器（２０）を使用している他のユーザの人数をユーザに提示することで、ユーザが機器（２０）の使用状況を把握しやすい、という利点がある。
【００９０】
第５の態様のプログラムは、１以上のプロセッサに、第１〜第４の態様のいずれか１つの表示方法を実行させるためのプログラムである。
【００９１】
第５の態様によれば、サーバ装置（３０）に機器（２０）を登録する場合の判断材料をユーザに提示することができる、という利点がある。
【００９２】
第６の態様の表示システム（１０）は、機器（２０）と通信する第１通信部（１１）と、サーバ装置（３０）と通信する第２通信部（１２）と、表示部（１３）と、処理部（１５）と、を備える。前記処理部（１５）は、第１取得処理と、送信処理と、第２取得処理と、表示処理と、を実行する。前記第１取得処理は、前記機器（２０）の種類を示す機器情報、及び前記機器（２０）に固有の機器識別子を前記機器（２０）から前記第１通信部（１１）にて取得する処理である。前記送信処理は、前記機器識別子、及びユーザに固有のユーザ識別子を前記第２通信部（１２）から前記サーバ装置（３０）に送信する処理である。前記第２取得処理は、送信した前記ユーザ識別子とは異なる他のユーザ識別子が前記機器識別子に紐付けられている場合に、ユーザ情報を、前記サーバ装置（３０）から前記第２通信部（１２）にて取得する処理である。前記ユーザ情報は、前記機器識別子に前記他のユーザ識別子が紐付けられていることを示す情報である。前記表示処理は、前記機器情報、及び前記ユーザ情報を前記表示部（１３）に表示する処理である。
【００９３】
第６の態様によれば、サーバ装置（３０）に機器（２０）を登録する場合の判断材料をユーザに提示することができる、という利点がある。
【００９４】
第７の態様のサーバ装置（３０）は、表示システム（１０）と通信するサーバ側通信部（３１）と、サーバ側処理部（３４）と、を備える。前記サーバ側処理部（３４）は、受信処理と、返信処理と、を実行する。前記受信処理は、前記表示システム（１０）から送信される、機器（２０）に固有の機器識別子、及びユーザに固有のユーザ識別子を、前記サーバ側通信部（３１）にて受信する処理である。前記返信処理は、受信した前記ユーザ識別子とは異なる他のユーザ識別子が、受信した前記機器識別子に紐付けられている場合に、ユーザ情報を、前記サーバ側通信部（３１）から前記表示システム（１０）に返信する処理である。前記ユーザ情報は、前記機器識別子に前記他のユーザ識別子が紐付けられていることを示す情報である。
【００９５】
第７の態様によれば、サーバ装置（３０）に機器（２０）を登録する場合の判断材料をユーザに提示することができる、という利点がある。
【００９６】
第８の態様の管理システム（１００）は、第６の態様の表示システム（１０）と、第７の態様のサーバ装置（３０）と、を備える。
【００９７】
第８の態様によれば、サーバ装置（３０）に機器（２０）を登録する場合の判断材料をユーザに提示することができる、という利点がある。
【符号の説明】
【００９８】
１００  管理システム
１０  表示システム
１１  第１通信部
１２  第２通信部
１３  表示部
１５  処理部
２０  機器
３０  サーバ装置
３１  第１通信部（サーバ側通信部）
３４  処理部（サーバ側処理部）
【図１】
2019101509.tif 000004
【図２】
2019101509.tif 000005
【図３】
2019101509.tif 000006
【図４】
2019101509.tif 000007
【図５】
2019101509.tif 000008
【図６】
2019101509.tif 000009
【図７】
2019101509.tif 000010
【図８】
2019101509.tif 000011
【図９】
2019101509.tif 000012
【図１０】
2019101509.tif 000013